(57)【特許請求の範囲】
【請求項１】
接地面と、
接地面延長部と、
複数のアンテナアームとを含み、前記接地面、前記接地面延長部、および前記複数のアンテナアームは、複数の周波数帯域において信号を通信するように構成され、前記接地面および前記接地面延長部は、前記複数の周波数帯域における周波数の約4分の1波長に比例する長さを有し、前記接地面は第1の筐体に位置し、かつ前記接地面延長部および前記複数のアンテナアームは第2の筐体に位置する、
マルチバンドアンテナ。
【請求項２】
前記接地面および前記接地面延長部は直接接続される、請求項1に記載のマルチバンドアンテナ。
【請求項３】
前記接地面および前記接地面延長部は、1つまたは複数の制御可能なコネクタを通じて互いに結合され、かつ前記1つまたは複数の制御可能なコネクタは、前記接地面延長部を前記接地面に接続するか、前記接地面から切り離すように構成される、請求項1に記載のマルチバンドアンテナ。
【請求項４】
前記複数のアンテナアームは、
第1の周波数帯域において信号を通信するように構成された第1のアンテナアームと、
第2の周波数帯域において信号を通信するように構成された第2のアンテナアームと、
第3の周波数帯域において信号を通信するように構成された第3のアンテナアームと
を含む、請求項1に記載のマルチバンドアンテナ。
【請求項５】
前記第1の周波数帯域は、セル帯域およびISM帯域を含み、前記第1のアンテナアームは、前記セル帯域および前記ISM帯域における周波数の約4分の1波長に比例する長さを有し、
前記第2の周波数帯域は、GPS帯域を含み、前記第2のアンテナアームは、前記GPS帯域における周波数の約4分の1波長に比例する長さを有し、
前記第3の周波数帯域は、PCS帯域を含み、前記第3のアンテナアームは、前記PCS帯域における周波数の約4分の1波長に比例する長さを有する、
請求項4に記載のマルチバンドアンテナ。
【請求項６】
前記第1のアンテナアームは、概ね長さが24.58mmで幅が1.98mmである第1のセクション、概ね長さが17.98mmで幅が2.22mmである第2のセクション、および概ね長さが18.69mmで幅が1.98mmである第3のセクションを有する概ね第1のU字形の形状を有し、
前記第2のアンテナアームは、概ね長さが18.19mmで幅が1.20mmである第1のセクション、概ね長さが12.36mmで幅が1.61mmである第2のセクション、および概ね長さが10.72mmで幅が1.20mmである第3のセクションを有する概ね第2のU字形の形状を有し、
かつ前記第3のアンテナアームは、概ね長さが12.30mmで幅が6.39mmである概ね長方形の形状を有し、
かつ前記複数のアンテナアームは、概ね長さが8.98mmで幅が7.73mmである概ね長方形の形状を有するベースを有する、請求項4に記載のマルチバンドアンテナ。
【請求項７】
前記接地面、前記接地面延長部、および前記複数のアンテナアームは、プラスチックキャリアまたはゴムキャリアのうちの少なくとも1つに導電性インクを塗ることによって作られる、請求項1に記載のマルチバンドアンテナ。
【請求項８】
前記接地面、前記接地面延長部、および前記複数のアンテナアームは、プラスチックキャリアにヒートステークされたか、ゴムキャリアに射出成形されたスタンプ金属部で作られる、請求項1に記載のマルチバンドアンテナ。
【請求項９】
前記第1の筐体は、プリント回路板を含み、前記マルチバンドアンテナの前記接地面は、前記プリント回路板用の追加遮蔽物として使用される、請求項1に記載のマルチバンドアンテナ。
【請求項１０】
前記第1の筐体は、プリント回路板を含み、かつ前記プリント回路板の接地面は、前記マルチバンドアンテナの前記接地面の一部として使用される、請求項1に記載のマルチバンドアンテナ。
【請求項１１】
前記第2の筐体は、前記マルチバンドアンテナとユーザとの間に間隔を作るように構成される、請求項1に記載のマルチバンドアンテナ。
【請求項１２】
前記接地面、前記接地面延長部および前記複数のアンテナアームは、可撓性材料にエッチングされ、前記接地面を含む前記可撓性材料の第1のセクションは、前記第1の筐体に配置され、前記接地面延長部を含む前記可撓性材料の第2のセクションおよび前記複数のアンテナアームを含む前記可撓性材料の第3のセクションは、前記第2の筐体の熱可塑性エラストマーに成形される、請求項1に記載のマルチバンドアンテナ。
【請求項１３】
前記接地面は前記第1の筐体に位置し、前記接地面延長部は前記第2の筐体に位置し、前記複数のアンテナアームは第3の筐体に位置する、請求項1に記載のマルチバンドアンテナ。
【請求項１４】
前記第2の筐体および前記第3の筐体は、前記マルチバンドアンテナとユーザとの間に間隔を作るように構成される、請求項13に記載のマルチバンドアンテナ。
【請求項１５】
前記接地面、前記接地面延長部および前記複数のアンテナアームは、可撓性材料にエッチングされ、前記接地面を含む前記可撓性材料の第1のセクションは、前記第1の筐体に配置され、前記接地面延長部を含む前記可撓性材料の第2のセクションは、前記第2の筐体の熱可塑性エラストマーに成形され、前記複数のアンテナアームを含む前記可撓性材料の第3のセクションは、前記第3の筐体の熱可塑性エラストマーに成形される、請求項13に記載のマルチバンドアンテナ。
【請求項１６】
複数の周波数帯域において信号を通信するように構成され、接地面、接地面延長部、および複数のアンテナアームを含み、前記接地面および前記接地面延長部は、前記複数の周波数帯域における周波数の約4分の1波長に比例する長さを有していて、前記接地面は第1の筐体に位置し、かつ前記接地面延長部および前記複数のアンテナアームは第2の筐体に位置する、マルチバンドアンテナと、
送信用に信号を変調し、基地局から受信した信号を復調するように構成されたモデム(変調器および復調器)と、
前記マルチバンドアンテナおよび前記モデムを使用して信号の通信を制御するように構成されたコントローラと
を含むモバイルデバイス。
【請求項１７】
前記接地面および前記接地面延長部は直接接続される、請求項16に記載のモバイルデバイス。
【請求項１８】
前記接地面および前記接地面延長部は、1つまたは複数の制御可能なコネクタを通じて互いに結合され、かつ前記1つまたは複数の制御可能なコネクタは、前記接地面延長部を前記接地面に接続するか、前記接地面から切り離すように構成される、請求項16に記載のモバイルデバイス。
【請求項１９】
前記複数のアンテナアームは、
第1の周波数帯域において信号を通信するように構成された第1のアンテナアームと、
第2の周波数帯域において信号を通信するように構成された第2のアンテナアームと、
第3の周波数帯域において信号を通信するように構成された第3のアンテナアームと
を含む、請求項16に記載のモバイルデバイス。
【請求項２０】
前記第1の周波数帯域は、セル帯域およびISM帯域を含み、前記第1のアンテナアームは、前記セル帯域および前記ISM帯域における周波数の約4分の1波長に比例する長さを有し、
前記第2の周波数帯域は、GPS帯域を含み、前記第2のアンテナアームは、前記GPS帯域における周波数の約4分の1波長に比例する長さを有し、
前記第3の周波数帯域は、PCS帯域を含み、前記第3のアンテナアームは、前記PCS帯域における周波数の約4分の1波長に比例する長さを有する、
請求項19に記載のモバイルデバイス。
【請求項２１】
前記接地面、前記接地面延長部、および前記複数のアンテナアームは、プラスチックキャリアまたはゴムキャリアのうちの少なくとも1つに導電性インクを塗ることによって作られる、請求項16に記載のモバイルデバイス。
【請求項２２】
前記接地面、前記接地面延長部、および前記複数のアンテナアームは、プラスチックキャリアにヒートステークされたか、ゴムキャリアに射出成形されたスタンプ金属部で作られる、請求項16に記載のモバイルデバイス。
【請求項２３】
前記第1の筐体は、プリント回路板を含み、かつ前記プリント回路板の接地面は、前記マルチバンドアンテナの前記接地面の一部として使用される、請求項16に記載のモバイルデバイス。
【請求項２４】
前記第2の筐体は、前記マルチバンドアンテナとユーザとの間に間隔を作るように構成される、請求項16に記載のモバイルデバイス。
【請求項２５】
前記接地面、前記接地面延長部および前記複数のアンテナアームは、可撓性材料にエッチングされ、かつ前記接地面を含む前記可撓性材料の第1のセクションは、前記第1の筐体に配置され、前記接地面延長部を含む前記可撓性材料の第2のセクションおよび前記複数のアンテナアームを含む前記可撓性材料の第3のセクションは、前記第2の筐体の熱可塑性エラストマーに成形される、請求項16に記載のモバイルデバイス。
【請求項２６】
前記モバイルデバイスは、首輪、リストバンド、アンクルバンド、またはウエストバンドのうちの少なくとも1つとして装着される、請求項16に記載のモバイルデバイス。
【請求項２７】
前記モバイルデバイスは、ペット、病院における患者、公園における子供、または学校における子供のロケーションを監視するために使用される、請求項16に記載のモバイルデバイス。
【請求項２８】
マルチバンドアンテナを作るための方法であって、
接地面を提供するステップと、
接地面延長部を提供するステップと、
複数のアンテナアームを提供するステップとを含み、前記接地面、前記接地面延長部、および前記複数のアンテナアームは、複数の周波数帯域において信号を通信するように構成され、前記接地面および前記接地面延長部は、前記複数の周波数帯域における周波数の約4分の1波長に比例する長さを有し、前記接地面は第1の筐体に位置し、かつ前記接地面延長部および前記複数のアンテナアームは第2の筐体に位置する、
方法。
【請求項２９】
前記接地面および前記接地面延長部を直接接続するステップ
をさらに含む、請求項28に記載の方法。
【請求項３０】
前記接地面および前記接地面延長部を、1つまたは複数の制御可能なコネクタを使用して結合するステップをさらに含み、前記1つまたは複数の制御可能なコネクタは、前記接地面延長部を前記接地面に接続するか、前記接地面から切り離すように構成される、請求項28に記載の方法。
【請求項３１】
前記複数のアンテナアームを提供するステップは、
第1の周波数帯域において信号を通信するように第1のアンテナアームを調整するステップと、
第2の周波数帯域において信号を通信するように第2のアンテナアームを調整するステップと、
第3の周波数帯域において信号を通信するように第3のアンテナアームを調整するステップと
を含む、請求項28に記載の方法。
【請求項３２】
プラスチックキャリアまたはゴムキャリアのうちの少なくとも1つに導電性インクを塗って、前記接地面、前記接地面延長部、および前記複数のアンテナアームを形成するステップ
をさらに含む、請求項28に記載の方法。
【請求項３３】
前記接地面、前記接地面延長部、および前記複数のアンテナアームを、プラスチックキャリアにヒートステークされたか、ゴムキャリアに射出成形されたスタンプ金属部で形成するステップ
をさらに含む、請求項28に記載の方法。
【請求項３４】
前記マルチバンドアンテナの前記接地面の一部として、前記第1の筐体におけるプリント回路板の接地面を使用するステップ
をさらに含む、請求項28に記載の方法。
【請求項３５】
前記マルチバンドアンテナとユーザとの間に間隔を作るように前記第2の筐体を形成するステップ
をさらに含む、請求項28に記載の方法。
【請求項３６】
前記接地面、前記接地面延長部、および前記複数のアンテナアームを前記可撓性材料にエッチングするステップと、
前記接地面を含む前記可撓性材料の第1のセクションを前記第1の筐体に配置するステップと、
前記接地面延長部を含む前記可撓性材料の第2のセクションおよび前記複数のアンテナアームを含む前記可撓性材料の第3のセクションを、前記第2の筐体の熱可塑性エラストマーに成形するステップと
をさらに含む、請求項28に記載の方法。
【請求項３７】
接地面を提供するための手段と、
接地面延長部を提供するための手段と、
複数のアンテナアームを提供するための手段とを含み、前記接地面、前記接地面延長部、および前記複数のアンテナアームは、複数の周波数帯域において信号を通信するように構成され、前記接地面および前記接地面延長部は、前記複数の周波数帯域における周波数の約4分の1波長に比例する長さを有し、前記接地面は第1の筐体に位置し、前記接地面延長部および前記複数のアンテナアームは第2の筐体に位置する、
マルチバンドアンテナ。
【請求項３８】
前記複数のアンテナアームを提供するための手段は、
第1の周波数帯域において信号を通信するように第1のアンテナアームを調整するための手段と、
第2の周波数帯域において信号を通信するように第2のアンテナアームを調整するための手段と、
第3の周波数帯域において信号を通信するように第3のアンテナアームを調整するための手段と
を含む、請求項37に記載のマルチバンドアンテナ。
【発明の詳細な説明】
【技術分野】
【０００１】
関連出願の相互参照
本出願は、2010年9月29日に出願され、本出願の譲受人に譲渡された米国仮出願第61/387,954号「Multi-band Antenna for Pet and Person Tracking Device」の利益を主張する。前述の米国出願は、その全体が参照により本明細書に組み込まれる。
【０００２】
本開示は、ワイヤレス通信の分野に関する。詳細には、本開示は、モバイルデバイス用のマルチバンドアンテナに関する。
【背景技術】
【０００３】
様々なタイプのモバイルデバイスが、人々の間の通信に、またはロケーション監視アプリケーションに使用されている。たとえば、従来型のセルラー電話が、音声およびデータの通信に使用され得る。従来型の全地球測位システム(GPS)ウォッチが、山の中でのナビゲーションに使用され得る。そのような従来型デバイスでは、セルラー電話またはGPSウォッチの筐体内にアンテナが埋め込まれており、アンテナの接地面は通常、デバイスのプリント回路板の接地面と共用される。そのような従来型デバイスの欠点の1つは、デバイスの筐体内に密閉されたプリント回路板のサイズが小さいことにより、アンテナの信号品質が限定されることである。従来型デバイスの別の欠点は、アンテナが電気接地をプリント回路板上の他の構成要素と共用することにより、アンテナの信号品質が、プリント回路板の電気的特性による悪影響を受ける可能性があることである。
【発明の概要】
【発明が解決しようとする課題】
【０００４】
したがって、従来型のモバイルデバイスの上記問題に対処できるモバイルデバイス用のマルチバンドアンテナが必要である。
【課題を解決するための手段】
【０００５】
本開示は、モバイルデバイス用のマルチバンドアンテナに関する。一実施形態では、マルチバンドアンテナは、接地面、接地面延長部、および複数のアンテナアームを含む。接地面、接地面延長部、および複数のアンテナアームは、複数の周波数帯域において信号を通信するように構成され、この場合に接地面および接地面延長部は、複数の周波数帯域における周波数の約4分の1波長に比例する長さを有する。一実装形態では、接地面、接地面延長部、および複数のアンテナアームは、プラスチックキャリアまたはゴムキャリアのうちの少なくとも1つに導電性インクを塗ることによって作られる。代替実装形態では、接地面、接地面延長部、および複数のアンテナアームは、プラスチックキャリアにヒートステークされたか、ゴムキャリアに射出成形されたスタンプ金属部(stamped metal part)で作られる。
【０００６】
一手法では、接地面は第1の筐体に位置し、接地面延長部および複数のアンテナアームは第2の筐体に位置する。第2の筐体は、マルチバンドアンテナとユーザとの間に間隔を作るように構成され得る。マルチバンドアンテナの第1の筐体は、プリント回路板を含み、マルチバンドアンテナの接地面は、プリント回路板用の追加遮蔽物として使用される。代替実施形態では、プリント回路板の接地面は、マルチバンドアンテナの接地面の一部として使用される。いくつかの実装形態では、接地面および接地面延長部は、直接接続される。いくつかの他の実装形態では、接地面および接地面延長部は、1つまたは複数の制御可能なコネクタを通じて互いに結合され、この場合に1つまたは複数の制御可能なコネクタは、接地面延長部を接地面に接続するか、接地面から切り離すように構成される。
【０００７】
いくつかの実装形態では、接地面、接地面延長部および複数のアンテナアームは、可撓性材料にエッチングされる。次いで、接地面を含む可撓性材料の第1のセクションは、第1の筐体に配置され、接地面延長部を含む可撓性材料の第2のセクションおよび複数のアンテナアームを含む可撓性材料の第3のセクションは、第2の筐体の熱可塑性エラストマーに成形される。可撓性材料は、1MHzにおいて3.6の誘電率および1MHzにおいて0.02の損失正接を有するポリイミドフィルム、ならびに1MHzにおいて2.0〜3.5の範囲の誘電率および1MHzにおいて0.005〜0.019の範囲の損失正接を有する熱可塑性エラストマー材料を含む。
【０００８】
複数のアンテナアームは、第1の周波数帯域において信号を通信するように構成された第1のアンテナアーム、第2の周波数帯域において信号を通信するように構成された第2のアンテナアーム、および第3の周波数帯域において信号を通信するように構成された第3のアンテナアームを含む。第1の周波数帯域は、セル帯域および産業科学医療用(ISM)帯域を含み、第1のアンテナアームは、セル帯域およびISM帯域における周波数の約4分の1波長に比例する長さを有する。第2の周波数帯域は、GPS帯域を含み、第2のアンテナアームは、GPS帯域における周波数の約4分の1波長に比例する長さを有する。第3の周波数帯域は、パーソナル通信サービス(PCS)帯域を含み、第3のアンテナアームは、PCS帯域における周波数の約4分の1波長に比例する長さを有する。
【０００９】
別の実施形態では、モバイルデバイスは、基地局と通信するように構成されたマルチバンドアンテナを含み、この場合にマルチバンドアンテナは、接地面、接地面延長部および複数のアンテナアームを含む。接地面、接地面延長部、および複数のアンテナアームは、複数の周波数帯域において信号を通信するように構成され、この場合に接地面および接地面延長部は、複数の周波数帯域における周波数の約4分の1波長に比例する長さを有する。モバイルデバイスは、送信用に信号を変調し、基地局から受信した信号を復調するように構成されたモデム(変調器および復調器)、ならびにマルチバンドアンテナおよびモデムを使用して信号の通信を制御するように構成されたコントローラを含む。例示的な一実装形態では、接地面は第1の筐体に位置し、接地面延長部は第2の筐体に位置し、複数のアンテナアームは第3の筐体に位置する。
【００１０】
モバイルデバイスの第1の筐体は、プリント回路板を含み、マルチバンドアンテナの接地面は、プリント回路板用の追加遮蔽物として使用される。代替実施形態では、プリント回路板の接地面は、マルチバンドアンテナの接地面の一部として使用される。モバイルデバイスの第2の筐体および第3の筐体は、マルチバンドアンテナとユーザとの間に間隔を作るように構成される。いくつかの実装形態では、接地面および接地面延長部は、直接接続される。いくつかの他の実装形態では、接地面および接地面延長部は、1つまたは複数の制御可能なコネクタを通じて互いに結合され、この場合に1つまたは複数の制御可能なコネクタは、接地面延長部を接地面に接続するか、接地面から切り離すように構成される。
【００１１】
いくつかの実装形態では、接地面、接地面延長部および複数のアンテナアームは、可撓性材料にエッチングされる。次いで、接地面を含む可撓性材料の第1のセクションは、第1の筐体に配置され、接地面延長部を含む可撓性材料の第2のセクションは、第2の筐体の熱可塑性エラストマーに成形され、複数のアンテナアームを含む可撓性材料の第3のセクションは、第3の筐体の熱可塑性エラストマーに成形される。可撓性材料は、1MHzにおいて3.6の誘電率および1MHzにおいて0.02の損失正接を有するポリイミドフィルムを含む。ゴム材料は、1MHzにおいて2.0〜3.5の範囲の誘電率および1MHzにおいて0.005〜0.019の範囲の損失正接を有する。ゴム材料は、限定はしないが、サントプレーン、ポリプロピレン、およびポリスチレンを含む。1つまたは複数のアンテナアームは、第1の周波数帯域において信号を通信するように構成された第1のアンテナアーム、および第2の周波数帯域において信号を通信するように構成された第2のアンテナアームを含む。モバイルデバイスは、首輪、リストバンド、アンクルバンド、およびウエストバンドのうちの少なくとも1つとして装着可能であり、病院における患者のロケーション、公園における子供のロケーション、学校における子供のロケーション、またはペットのロケーションを監視するために使用され得る。
【００１２】
さらに別の実施形態では、マルチバンドアンテナを作成するための方法について説明される。本方法は、接地面、接地面延長部、および複数のアンテナアームを提供する。接地面は第1の筐体に位置することがあり、接地面延長部および複数のアンテナアームは第2の筐体に位置することがある。本方法は、マルチバンドアンテナとユーザとの間に間隔を作るように第2の筐体を形成する。
【００１３】
本方法は、第1の筐体におけるプリント回路板用の追加遮蔽物として、マルチバンドアンテナの接地面を使用する。代替的に、本方法は、マルチバンドアンテナの接地面として、プリント回路板の接地面を使用する。いくつかの実装形態では、本方法は、接地面および接地面延長部を直接接続する。いくつかの他の実装形態では、本方法は、1つまたは複数の制御可能なコネクタを使用して接地面および接地面延長部を結合し、この場合に1つまたは複数の制御可能なコネクタは、接地面延長部を接地面に接続するか、接地面から切り離すように構成される。
【００１４】
本方法は、可撓性材料に接地面、接地面延長部、および複数のアンテナアームをエッチングする。次いで、本方法は、接地面を含む可撓性材料の第1のセクションを第1の筐体に配置し、接地面延長部を含む可撓性材料の第2のセクションおよび複数のアンテナアームを含む可撓性材料の第3のセクションを第2の筐体の熱可塑性エラストマーに成形する。
【００１５】
本方法は、第1の周波数帯域において信号を通信するように第1のアンテナアームを調整し、第2の周波数帯域において信号を通信するように第2のアンテナアームを調整し、第3の周波数帯域において信号を通信するよう第3のアンテナアームを調整する。
【００１６】
本開示の上述の特徴および利点、ならびに本開示の追加の特徴および利点は、以下の図面とともに本開示の実施形態の詳細な説明を読めば、より明確に理解できよう。
【図面の簡単な説明】
【００１７】
【図１ａ】本開示のいくつかの態様によるマルチバンドアンテナを示す図である。
【図１ｂ】本開示のいくつかの態様によるマルチバンドアンテナを示す図である。
【図１ｃ】本開示のいくつかの態様による別のマルチバンドアンテナを示す図である。
【図１ｄ】本開示のいくつかの態様による別のマルチバンドアンテナを示す図である。
【図１ｅ】本開示のいくつかの態様による図1cのマルチバンドアンテナの寸法を示す図である。
【図２ａ】本開示のいくつかの態様によるマルチバンドアンテナ用の筐体の設計を示す図である。
【図２ｂ】本開示のいくつかの態様によるマルチバンドアンテナ用の筐体の別の設計を示す図である。
【図３】本開示のいくつかの態様によるマルチバンドアンテナを有するモバイルデバイスのブロック図である。
【図４】本開示のいくつかの態様によるリターンロスデータと周波数とを対比したグラフである。
【図５ａ】本開示のいくつかの態様によるセル帯域およびISM帯域における図1cのマルチバンドアンテナのアンテナ効率を示す図である。
【図５ｂ】本開示のいくつかの態様によるGPS帯域における図1cのマルチバンドアンテナのアンテナ効率を示す図である。
【図５ｃ】本開示のいくつかの態様によるPCS帯域における図1cのマルチバンドアンテナのアンテナ効率を示す図である。
【発明を実施するための形態】
【００１８】
図全体で同じ番号が使用される。
【００１９】
モバイルデバイス用のマルチバンドアンテナの実施形態が開示される。以下の説明は、いかなる当業者でも本開示を作成し使用することができるように提示される。特定の実施形態および適用の説明は、例としてのみ提供される。本明細書で説明する例の様々な修正および組合せが当業者には容易に明らかであり、本明細書で定義した一般原理は、本開示の趣旨および範囲から逸脱することなく他の例および適用に適用できる。したがって、本開示は、説明され示される例に限定されるものではなく、本明細書で開示される原理および特徴に一致する最大の範囲を与えられるものである。
【００２０】
図1a〜図1bは、本開示のいくつかの態様によるマルチバンドアンテナを示している。図1aに示す例では、マルチバンドアンテナ100は、第1のセクション102、第2のセクション106、および第3のセクション110を含み、この場合に各セクションはそれぞれ104、108、および112のような(長方形の破線で示されている)筐体に位置し得る。第1のセクション102は、マルチバンドアンテナ100の接地面を実装することができ、第2のセクション106は、マルチバンドアンテナ100の延長接地面を実装することができる。
【００２１】
マルチバンドアンテナは、選択的にオンまたはオフになり得る(グレーの細長い一片として示されている)1つまたは複数のコネクタ120をさらに含み、それによって、マルチバンドアンテナ100の第1のセクション102内の接地面と第2のセクション106内の接地面延長部との間における接続の調節が可能になる。この手法では、接地面および延長接地面を選択的に接続し、調節して、接地面のサイズを拡大し、結果的にマルチバンドアンテナ100の放射パフォーマンスを、単独で第1のセクション102内の接地面を使用した場合よりも高めることができる。1つまたは複数の制御可能なコネクタ120は、プリント回路板(PCB、これはプリント配線板、PWBとしても知られている)上の、または可撓性プリント回路板上のコントローラに実装され得る。たとえば、1つまたは複数の制御可能なコネクタ120は、トランジスタで実装されることがあり、これが制御されてオンまたはオフになり得る。別の手法では、1つまたは複数の制御可能なコネクタ120は、無線周波数(RF)スイッチまたは電磁スイッチで実装されることがあり、それによって、マルチバンドアンテナ100の第1のセクション102内の接地面と第2のセクション106内の接地面延長部との間の接続を制御する。
【００２２】
1つの手法では、筐体104内に位置するPCBの接地面は、マルチバンドアンテナ100の第1のセクション102の接地面として使用され得る。それは、PCB上のコントローラのRF回路に結合され、かかるRF回路によって制御される。第2の手法では、マルチバンドアンテナ100の第1のセクション102は、筐体104内に位置するPCBの接地面に(不図示のポゴピンを介して)結合された追加の銅を使用して実装され得る。第2の手法では、より大きい複合接地面が形成され、PCBの特性に起因する影響が軽減され得る。より大きい複合接地面は、PCB上のコントローラのRF回路に結合され、かかるRF回路によって制御される。このようにして、この手法は、アンテナの信号品質の制御を改善することができる。この場合、第1のセクション102の接地面は、PCBの電子構成要素用の追加遮蔽物として使用され得る。筐体104はまた、筐体104内のプリント回路板上のRF回路に筐体112内の並列アンテナアームを接続するための延長コネクタ119を含む。代替実施形態では、限定はしないがポゴピン、アンテナクリップおよびスプリングクリップを含む他のタイプのコネクタが、プリント回路板上のRF回路に並列アンテナアームを接続するために使用され得る。
【００２３】
第3のセクション110は、3つの並列アンテナアーム114、116、および118を含む。例示的な一実装形態では、アンテナアーム114は、セル帯域(824〜894MHz)およびISM帯域(902〜928MHz)において信号を送信または受信するように調整可能であり、アンテナアーム116は、GPS帯域(1565〜1585MHz)において信号を送信または受信するように調整可能であり、アンテナアーム118は、PCS帯域(1850〜1990MHz)において信号を送信または受信するように調整可能である。別の実施形態では、1つまたは複数のアンテナアームが、図1aに示す3つの並列アンテナアームの代わりに実装され得る。3つのアンテナアーム114、116および118、接地面102、ならびに接地面延長部106は、電磁波の形態で信号を生成するために、接地面102および接地面延長部106から3つの並列アンテナアーム114、116および118に電流を通すことによって、セル帯域、ISM帯域、GPS帯域およびPCS帯域において信号を通信するように構成される。
【００２４】
本開示の実施形態によれば、アンテナアーム114は、セル帯域およびISM帯域における周波数の約4分の1波長に比例する長さに調整可能であり、アンテナアーム116は、GPS帯域における周波数の約4分の1波長に比例する長さに調整可能であり、アンテナアーム118は、PCS帯域における周波数の約4分の1波長に比例する長さに調整可能である。加えて、接地面102および接地面延長部106は、セル帯域およびISM帯域における周波数のような、アンテナアームによってサポートされる複数の周波数帯域における周波数の約4分の1波長に比例する長さに調整可能である。いくつかの手法では、約4分の1波長は、マルチバンドアンテナの設計者が指定する、4分の1波長から一定の範囲内(たとえば、プラスまたはマイナス5%、10%、20%以内など)にあり得る。
【００２５】
図1bを参照すると、図1bは、(一定の縮尺でない)図1aのマルチバンドアンテナの実装形態を示している。この実装形態では、マルチバンドアンテナ100は、マルチバンドアンテナ100の第1のセクション102内の接地面、第2のセクション106内の延長接地面、ならびに第3のセクション110内の3つの並列アンテナアーム114、116および118を実装するために、銅などの導電材料122で作製され得る。当業者は、限定はしないが、金を含む他の導電材料を銅の代わりに使用してよいことを理解されよう。加えて、マルチバンドアンテナ100は、可撓性材料124に作製されてよく、特定の形態および形状の筐体に射出成形されてよく、この場合に筐体は、ゴムタイプの材料から作られ得る。
【００２６】
一実装形態では、積層フレックス(laminate flex)とも呼ばれるPyralux(登録商標)銅張積層複合物(copper-clad laminated composite)が、可撓性材料124として使用され得る。この例では、Pyralux(登録商標)銅張積層複合物は、アクリル接着剤によりポリイミドフィルムに接合される銅箔を一方の側に有するDuPont(商標)Kapton(登録商標)ポリイミドフィルムで作製され得る。詳細には、LF9120R Pyralux(登録商標)銅張積層複合物を使用することができ、これは、厚さが約4ミル(1ミル=0.001インチ)、誘電率が1MHzにおいて約3.6、損失正接が1MHzにおいて約0.02である。図1bに示す例では、接地面、接地面延長部、および1つまたは複数のアンテナアームが単一の積層フレックスにエッチングされ得る。次いで、積層フレックスは、熱可塑性エラストマーに成形され得る。別の手法では、接地面、接地面延長部、および1つまたは複数のアンテナアームの各々を別個の積層フレックスにエッチングすることができ、次いで積層フレックスの各々を異なる筐体に配置することができる。たとえば、接地面延長部を含む積層フレックスをある筐体に配置することができ、1つまたは複数のアンテナアームを含む積層フレックスを別の筐体に配置することができる。さらに別の手法では、接地面、接地面延長部、および1つまたは複数のアンテナアームの各々を別々の積層フレックスにエッチングすることができ、次いで接地面を含む積層フレックスを第1の筐体に配置することができ、接地面延長部を含む積層フレックスおよび1つまたは複数のアンテナアームを含む積層フレックスを第2の筐体に配置することができる。
【００２７】
図1cおよび図1dは、本開示のいくつかの態様による別のマルチバンドアンテナを示している。図1cに示すマルチバンドアンテナ130は、第1のセクション102および第2のセクション106を直接接続することができ、その結果これら2つのセクション間に制御可能なコネクタが存在しなくてよいという点を除いて、図1aに示すマルチバンドアンテナ100と同様である。この実装形態では、接地面および延長接地面を直接接続して、接地面のサイズを拡大し、結果的にマルチバンドアンテナ130の放射パフォーマンスを、単独で第1のセクション102内の接地面を使用した場合よりも高めることができる。同様に、図1dは、(一定の縮尺でない)図1cのマルチバンドアンテナ130の実装形態を示している。図1eは、本開示のいくつかの態様による図1cのマルチバンドアンテナの寸法を示している。図1eの測定単位はミリメートル(mm)であり、この図は一定の縮尺で描かれているものではないことに留意されたい。図1eに示すように、第1のアンテナアーム132は、概ね長さが24.58mmで幅が1.98mmである第1のセクション、概ね長さが17.98mmで幅が2.22mmである第2のセクション、および概ね長さが18.69mmで幅が1.98mmである第3のセクションを有する概ね第1のU字形の形状を有する。第2のアンテナアーム134は、概ね長さが18.19mmで幅が1.20mmである第1のセクション、概ね長さが12.36mmで幅が1.61mmである第2のセクション、および概ね長さが10.72mmで幅が1.20mmである第3のセクションを有する概ね第2のU字形の形状を有する。第3のアンテナアーム136は、概ね長さが12.30mmで幅が6.39mmである概ね長方形の形状を有する。複数のアンテナアームは、概ね長さが8.98mmで幅が7.73mmである概ね長方形の形状を有するベース138を有する。
【００２８】
別の実装形態では、マルチバンドアンテナは、導電性インクを使用して作られ得る。本方法は、たとえば、図1a、図1cおよび図1eに示すマルチバンドアンテナ設計のパターンおよび寸法に従ってプラスチックキャリアまたはゴムキャリアに導電性インクをスプレーすることである。本方法では、銅や可撓性材料は使用されず、導電性インクが、接地面、接地面延長部、並列アンテナアーム、およびマルチバンドアンテナの他の部分を形成する。
【００２９】
さらに別の実装形態では、マルチバンドアンテナは、プラスチックキャリアにヒートステークされたスタンプ金属部を使用して作られ得る。金属プレート上に、図1a、図1cおよび図1eに示すマルチバンドアンテナ設計のパターンおよび寸法に従って、マルチバンドアンテナを作るために、スタンプ金属部が使用される。金属プレートは、たとえば導電率が良い銅または他の金属であり得る。金属メッキしたマルチバンドアンテナが作られた後、それは、ヒートステークすることによってプラスチックに取り付けられ得る。筐体がプラスチックではなくゴムである場合、金属メッキしたマルチバンドアンテナは、上述の銅張積層可撓性材料と同様に、ゴムに射出成形され得る。
【００３０】
図2aは、本開示のいくつかの態様によるマルチバンドアンテナ用の筐体の設計を示している。図2aに示すように、マルチバンドアンテナ200は2つの別個の筐体、すなわち202および204に位置し得る。この例では、接地面が筐体202に位置し、延長接地面およびアンテナアームが筐体204に位置する。熱可塑性エラストマー材料が、マルチバンドアンテナの筐体204に使用され得る。本開示のいくつかの態様によれば、熱可塑性エラストマー材料の誘電率は2.0〜3.5の範囲内にあってよく、熱可塑性エラストマー材料の損失正接は0.005〜0.019の範囲内にあってよい。他の材料を204の筐体に使用してもよく、これは限定はしないが、(熱可塑性加硫物としても知られる)サントプレーン101-80、ポリプロピレン、およびポリスチレンを含む。筐体202の外側にアンテナのサイズを拡大する、マルチバンドアンテナ200の翼に位置する延長接地面およびアンテナアームを有することは有益である。このようにして、この設計は、マルチバンドアンテナ200の剛構造のサイズを中間セクション(202)まで縮小しながらも、マルチバンドアンテナのサイズを比較的大きくして、アンテナの放射パフォーマンスを高める。
【００３１】
図2bは、本開示のいくつかの態様によるマルチバンドアンテナ用の筐体の別の設計を示す図である。図2bに示すように、マルチバンドアンテナ210は3つの別個の筐体、すなわち212、214、および216に位置し得る。この例では、接地面が筐体212に位置し、延長接地面が筐体214に位置し、アンテナアームが筐体216に位置する。加えて、本開示のマルチバンドアンテナは、距離dとして示される間隔がマルチバンドアンテナとペットまたは人間の体の表面との間に作られ得るように曲げられた翼を有し得る。いくつかの態様によれば、間隔距離は、1〜15ミリメートル(mm)の範囲内にあり得る。マルチバンドアンテナとペットまたは人間の体の表面との間に間隔があることは有益である。間隔距離を作ることによって、ペットまたは人間の体の導電性に起因する信号損失を減らすことができ、これについては図5a〜図5cに関連してさらに論じる。
【００３２】
本開示の態様によれば、モバイルデバイス用のマルチバンドアンテナはペットの首輪に装着可能であり、このように使用してペットのロケーションを追跡することができる。他の実施形態では、モバイルデバイス用のマルチバンドアンテナを、限定はしないが首輪、リストバンド、アンクルバンド、またはウエストバンドとして、人間に装着することができる。たとえば、子供のロケーションを監視できるように、遊園地において子供にモバイルデバイスを装着することがある。別の例として、患者のロケーションを監視できるように、病院において患者にモバイルデバイスを装着することがある。
【００３３】
図1b、図1d、図2a、図2b、およびそれらの対応する説明が、第1の筐体に位置する接地面を提供するための手段、第2の筐体に位置する接地面延長部を提供するための手段、および第3の筐体に位置する複数のアンテナアームを提供するための手段を提供することに留意されたい。図1e、図4、図5a〜図5c、およびそれらの対応する説明は、第1の周波数帯域において信号を通信するように第1のアンテナアームを調整するための手段、第2の周波数帯域において信号を通信するように第2のアンテナアームを調整するための手段、および第3の周波数帯域において信号を通信するよう第3のアンテナアームを調整するための手段を提供する。
【００３４】
図3は、本開示のいくつかの態様によるマルチバンドアンテナを有するモバイルデバイスのブロック図を示している。モバイルデバイス300において、マルチバンドアンテナ302は、基地局から変調信号を受信し、受信信号をモデム304の復調器(DEMOD)部分に提供する。復調器は、受信信号の処理(たとえば、調整およびデジタル化)を行い、入力サンプルを取得する。それはさらに、入力サンプルに対して直交周波数分割多重(OFDM)復調を実行し、すべてのサブキャリア用の周波数領域受信シンボルを提供する。RXデータプロセッサ306は、周波数領域受信シンボルの処理(たとえば、シンボルデマップ、デインターリーブおよび復号)を行い、モバイルデバイス300のコントローラ/プロセッサ308に復号データを提供する。
【００３５】
次いでコントローラ/プロセッサ308は、マルチバンドアンテナ付きモバイルデバイス300用の様々なタイプのシグナリングを生成する。TXデータプロセッサ310はシグナリングシンボル、データシンボル、およびパイロットシンボルを生成し、これらはモデム304の変調器(MOD)によって処理され、マルチバンドアンテナ302を介して基地局に送信され得る。加えて、コントローラ/プロセッサ308は、マルチバンドアンテナ付きモバイルデバイス300における様々な処理ユニットの動作を指示する。メモリ312は、マルチバンドアンテナ付きモバイルデバイス300用のプログラムコードおよびデータを記憶する。
【００３６】
図4は、本開示のいくつかの態様によるリターンロスデータと周波数とを対比したグラフを示している。この例では、マルチバンドアンテナの接地面、接地面延長部、および1つまたは複数のアンテナアームを調節して、マルチバンドアンテナによって操作される所望の周波数範囲の各々におけるリターンロスデータを最小限に抑える。マルチバンドアンテナ放射素子は、並列に接続された複数の銅トレースを含み、トレースの長さおよび他の寸法を調節することによって特定の周波数帯域向けに各銅トレースを調整できるので、複数の周波数帯域向けにアンテナが操作することが可能になっている。一般に、銅トレースが長くなると、動作周波数が低くなる。しかしながら、複数の銅トレースが互いに極めて近接した位置にあるとき、異なる銅トレース間にカップリング効果が存在し得る。複数のアンテナアームを有するアンテナを設計するにあたり、各銅トレース間の間隔(ギャップ)、各銅トレースの長さ、および各銅トレースの幅を調節して、所望の結果を達成することができる。間隔がアンテナのキャパシタンスに影響を与え得る一方、長さおよび幅がアンテナのインダクタンスに影響を与え得ることに留意されたい。トレース間の距離が小さくなると、トレース間のキャパシタンスが高くなる。トレースの長さが長くなる、またはトレースの幅が大きくなると、トレースのインダクタンスが高くなる。マルチバンドアンテナを設計するにあたり、銅トレース間の間隔、各銅トレースの長さ、および幅を調節して、所望のアンテナパフォーマンスを達成することができる。
【００３７】
図4に示すように、リターンロスデータは、セル帯域およびISM帯域の周波数範囲をカバーするマーカ1とマーカ3との間で-6dB未満であり、リターンロスデータは、GPS帯域の動作周波数であるマーカ4において-6dB未満であり、リターンロスデータは、PCS帯域の周波数範囲をカバーするマーカ5とマーカ6との間で概ね約-9dBである。
【００３８】
図5aは、本開示のいくつかの態様によるセル帯域およびISM帯域における図1cのマルチバンドアンテナのアンテナ効率を示している。図5aに示すように、垂直軸はdBで測定されるマルチバンドアンテナのアンテナ効率を表し、水平軸はMHzでのマルチバンドアンテナの送信周波数を表している。上の線は、自由空間にあるマルチバンドアンテナの効率を表し、下の線は、(ファントムヘッドとも呼ばれる)シミュレートされたペットまたは人間の頭に付けられたマルチバンドアンテナの効率を表している。この例では、自由空間にあるマルチバンドアンテナの効率は-2.5dBよりも良好であることがあり、シミュレートされたペットまたは人間の頭に付けられたマルチバンドアンテナの効率は約-10dBであり得る。
【００３９】
図5bは、本開示のいくつかの態様によるGPS帯域における図1cのマルチバンドアンテナのアンテナ効率を示している。図5aと同様に、垂直軸はdBで測定されるマルチバンドアンテナのアンテナ効率を表し、水平軸はMHzでのマルチバンドアンテナの送信周波数を表している。上の線は、自由空間にあるマルチバンドアンテナの効率を表し、下の線は、シミュレートされたペットまたは人間の頭に付けられたマルチバンドアンテナの効率を表している。この例では、自由空間にあるマルチバンドアンテナの効率は-1.5dBよりも良好であることがあり、シミュレートされたペットまたは人間の頭に付けられたマルチバンドアンテナの効率は、ほとんどが-7dB〜-7.5dBにあり得る。
【００４０】
図5cは、本開示のいくつかの態様によるPCS帯域における図1cのマルチバンドアンテナのアンテナ効率を示している。図5aと同様に、垂直軸はdBで測定されるマルチバンドアンテナのアンテナ効率を表し、水平軸はMHzでのマルチバンドアンテナの送信周波数を表している。上の線は、自由空間にあるマルチバンドアンテナの効率を示し、下の線は、シミュレートされたペットまたは人間の頭に付けられたマルチバンドアンテナの効率を示している。この例では、自由空間にあるマルチバンドアンテナの効率は-1.5dBよりも良好であることがあり、シミュレートされたペットまたは人間の頭に付けられたマルチバンドアンテナの効率は約-8dBであり得る。
【００４１】
本明細書で説明される方法は、用途に応じて様々な手段によって実施することができる。たとえば、これらの方法は、ハードウェア、ファームウェア、ソフトウェア、またはそれらの組合せで実施され得る。ハードウェア実装形態の場合、処理ユニットは、本明細書で説明される機能を実行するように設計された、1つもしくは複数の特定用途向け集積回路(ASIC)、デジタルシグナルプロセッサ(DSP)、デジタルシグナルプロセシングデバイス(DSPD)、プログラマブル論理デバイス(PLD)、フィールドプログラマブルゲートアレイ(FPGA)、プロセッサ、コントローラ、マイクロコントローラ、マイクロプロセッサ、電子デバイス、他の電子ユニット、またはそれらの組合せ内で実装され得る。本明細書では、「制御論理回路」という用語は、ソフトウェア、ハードウェア、ファームウェア、またはそれらの組合せによって実装された論理回路を包含する。
【００４２】
ファームウェアおよび/またはソフトウェア実装形態の場合、これらの方法は、本明細書で説明される機能を実行するモジュール(たとえば、プロシージャ、関数など)によって実施され得る。命令を有形に具現化するいずれの機械可読媒体も、本明細書で説明される方法の実施において使用され得る。たとえば、ソフトウェアコードは、メモリに記憶され、処理ユニットによって実行され得る。メモリは、処理ユニット内に実装されてもよく、または処理ユニットの外部に実装されてもよい。本明細書で用いられる「メモリ」という用語は、長期、短期、揮発性、不揮発性、または他の記憶デバイスのいずれかの種類を指し、特定のメモリの種類またはメモリの数には限定されず、あるいはメモリが格納される媒体の種類に関して限定されない。
【００４３】
ファームウェアおよび/またはソフトウェアで実装する場合、機能は、コンピュータ可読媒体上に1つもしくは複数の命令またはコードとして記憶されてもよい。この例には、データ構造によって符号化されたコンピュータ可読媒体、およびコンピュータプログラムによって符号化されたコンピュータ可読媒体が含まれる。コンピュータ可読媒体は製造物品の形態をとり得る。コンピュータ可読媒体は、物理的なコンピュータ記憶媒体を含む。記憶媒体は、コンピュータによってアクセスされ得る任意の使用可能な媒体であってもよい。限定ではなく、例として、そのようなコンピュータ可読媒体は、RAM、ROM、EEPROM、CD-ROM、または他の光ディスクストレージ、磁気ディスクストレージまたは他の磁気記憶デバイス、あるいは所望のプログラムコードを命令またはデータ構造の形で記憶するのに使用することができ、かつコンピュータからアクセスすることのできる任意の他の媒体を備えてよく、本明細書で使用するディスク(diskおよびdisc)には、コンパクトディスク(disc)(CD)、レーザディスク(disc)、光ディスク(disc)、デジタル多用途ディスク(disc)(DVD)、フレキシブルディスク(disk)、およびブルーレイディスク(disc)が含まれ、ディスク(disk)は通常、データを磁気的に再生し、一方、ディスク(disc)はデータをレーザによって光学的に再生する。上記の組合せも、コンピュータ可読媒体の範囲内に含めるべきである。
【００４４】
命令および/またはデータは、コンピュータ可読媒体上に記憶されるのに加えて、通信装置に含まれる伝送媒体上の信号として提供されてもよい。たとえば、通信装置には、命令およびデータを示す信号を有するトランシーバを含めてもよい。命令およびデータは、1つまたは複数のプロセッサに特許請求の範囲において概説する機能を実施させるように構成される。すなわち、通信装置は、開示する機能を実行するための情報を示す信号を有する伝送媒体を含む。第1の時間において、通信装置中に含まれる伝送媒体は、開示する機能を実行するための情報の第1の部分を含んでもよく、一方、第2の時間において、通信装置中に含まれる伝送媒体は、開示する機能を実行するための情報の第2の部分を含んでもよい。
【００４５】
本開示は、ワイヤレスワイドエリアネットワーク(WWAN)、ワイヤレスローカルエリアネットワーク(WLAN)、ワイヤレスパーソナルエリアネットワーク(WPAN)などのような、様々なワイヤレス通信ネットワークとともに実装され得る。「ネットワーク」および「システム」という用語は、しばしば互換的に使用される。「位置」および「ロケーション」という用語は、しばしば互換的に使用される。WWANは、符号分割多元接続(CDMA)ネットワーク、時分割多元接続(TDMA)ネットワーク、周波数分割多元接続(FDMA)ネットワーク、直交周波数分割多元接続(OFDMA)ネットワーク、シングルキャリア周波数分割多元接続(SC-FDMA)ネットワーク、Long Term Evolution(LTE)ネットワーク、WiMAX(IEEE802.16)ネットワークなどであり得る。CDMAネットワークは、cdma2000、広帯域CDMA(WCDMA(登録商標))などの1つまたは複数の無線アクセス技術(RAT)を実装することができる。cdma2000は、IS-95標準、IS-2000標準、およびIS-856標準を含む。TDMAネットワークは、Global System for Mobile Communications(GSM(登録商標))、Digital Advanced Mobile Phone System(D-AMPS)、または何らかの他のRATを実装することができる。GSM(登録商標)およびWCDMA(登録商標)は、「第3世代パートナーシッププロジェクト」(3GPP)という名称の組織からの文書で説明される。cdma2000は、「第3世代パートナーシッププロジェクト2」(3GPP2)という名称の組織からの文書で説明される。3GPPおよび3GPP2の文書は、公に利用可能である。WLANは、IEEE 802.11xネットワークでもよく、WPANはBluetooth(登録商標)ネットワーク、IEEE 802.15x、または何らかの他のタイプのネットワークでもよい。本技法はまた、WWAN、WLAN、および/またはWPANの任意の組合せとともに実装され得る。
【００４６】
移動局は、セルラー通信デバイスまたは他のワイヤレス通信デバイス、パーソナル通信システム(PCS)デバイス、パーソナルナビゲーションデバイス(PND)、個人情報マネージャ(PIM)、携帯情報端末(PDA)、ラップトップ、あるいはワイヤレス通信および/またはナビゲーション信号を受信することができる他の適切なモバイルデバイスなどのデバイスを指す。「移動局」という用語はまた、短距離ワイヤレス接続、赤外線接続、ワイヤライン接続、または他の接続などによって、パーソナルナビゲーションデバイス(PND)と通信するデバイスを、衛星信号受信、支援データ受信、および/または位置関連処理がそのデバイスにおいて行われるか、またはPNDにおいて行われるかにかかわらず含むものである。また、「移動局」は、インターネット、Wi-Fi、または他のネットワークなどを介してサーバとの通信が可能である、ワイヤレス通信デバイス、コンピュータ、ラップトップなどを含むすべてのデバイスを、衛星信号受信、支援データ受信、および/または位置関連処理がそのデバイスにおいて行われるか、サーバにおいて行われるか、またはネットワークに関連する別のデバイスにおいて行われるかにかかわらず含むものである。上記の任意の動作可能な組合せも「移動局」と見なされる。
【００４７】
何かが「最適化される」、「必要とされる」という指定または他の指定は、最適化されるシステム、または「必要とされる」要素が存在するシステムのみに本開示が適用されること(または他の指定に起因する他の制限)を示すものではない。これらの指定は、特定の説明された実装形態のみを指す。もちろん、多くの実装形態が可能である。開発中であるか今後開発されるプロトコルを含む、本明細書で論じるプロトコル以外のプロトコルで技法を使用できる。
【００４８】
本開示の態様は、追跡デバイス用のマルチバンドアンテナを開示している。追跡デバイス有りのアンテナまたは追跡デバイス無しのアンテナを対象物に取り付けるか、中間物を介して対象物、たとえば人間またはペットに取り付けることができる。中間物の例には、ペットの首輪またはリストバンドがある。マルチバンドアンテナは、3つ以上のバンドアンテナであり得る。バンドは、いくつかの異なる周波数で動作可能であり、周波数の例には、セル帯域(824〜894MHz)、GPS帯域(1565〜1585MHz)、PCS帯域(1850〜1990MHz)、またはISM帯域(902〜928MHz)がある。これらの帯域の周波数はまた、技術に応じて異なり得る。追跡デバイスは、LDC、GPS、またはInGeoであってよい。アンテナは、埋め込み型フレックス回路を有するサントプレーン筐体から作られ得る。他の材料は、限定はしないが、熱可塑性エラストマー、ポリイミドフィルム、または銅箔を含み得る。一例では、アンテナ設計はフレックスタイプアンテナであり、この場合にアンテナパターンは、熱可塑性エラストマーに射出成形され得る積層フレックスにエッチングされる。
【００４９】
当業者は、同じ基本的な下位の機構および方法を依然用いながら、開示した実施形態の多くの可能な修正および組合せを使用してよいことを認識されよう。上記の説明は、説明の目的で、特定の実施形態に関して書かれている。しかしながら、上で示した論述は網羅的なものでも、あるいは本開示を開示された厳密な形態に限定するものでもない。多くの修正および変形が、上記の教示に鑑みて可能である。本開示の原理および実際の適用について説明するために、また、企図される特定の用途に合わせて様々な修正を加えて本開示および様々な実施形態を他の当業者が最善の形で利用できるように、実施形態が選択され、説明されている。
【符号の説明】
【００５０】
100  マルチバンドアンテナ
102  第1のセクション、接地面
104  筐体
106  第2のセクション、接地面延長部
108  筐体
110  第3のセクション
112  筐体
114  アンテナアーム
116  アンテナアーム
118  アンテナアーム
119  延長コネクタ
120  コネクタ
122  導電材料
124  可撓性材料
130  マルチバンドアンテナ
132  第1のアンテナアーム
134  第2のアンテナアーム
136  第3のアンテナアーム
138  ベース
200  マルチバンドアンテナ
202  筐体
204  筐体
210  マルチバンドアンテナ
212  筐体
214  筐体
216  筐体
300  モバイルデバイス、マルチバンドアンテナ付きモバイルデバイス
302  マルチバンドアンテナ
304  モデム
306  RXデータプロセッサ
308  コントローラ/プロセッサ
310  TXデータプロセッサ
312  メモリ
【図１ａ】
0005636503.tif 000002
【図１ｂ】
0005636503.tif 000003
【図１ｃ】
0005636503.tif 000004
【図１ｄ】
0005636503.tif 000005
【図２ａ】
0005636503.tif 000006
【図２ｂ】
0005636503.tif 000007
【図１ｅ】
0005636503.tif 000008
【図３】
0005636503.tif 000009
【図４】
0005636503.tif 000010
【図５ａ】
0005636503.tif 000011
【図５ｂ】
0005636503.tif 000012
【図５ｃ】
0005636503.tif 000013